(57)【要約】【課題】包装箱において簡易に引掛部を形成することができると共に、展示に際して引掛部を利用しない場合には、引掛部を包装箱に収納させつつ上蓋の閉設を簡易かつ確実に行うことが可能な包装箱を提供すること。【解決手段】包装箱１は、有底矩形筒状を呈する箱体の一の上縁部１１に、箱体の上面を形成する蓋部７が折り曲げ開閉可能に形成されると共に、蓋部７の端部に、一の上縁部１１に対向する他の上縁部１７より箱体の内側へと差し込まれて蓋体７の容易な開放を防止する差込部７ａが形成されている。また、包装箱１には、引掛部８が設けられており、引掛部８は、他の上縁部１７に箱体の内側へと折り曲げ形成されると共に、更にその端部が他の上縁部１７方向へと折り返し形成されて、他の上縁部１７より上方へと先端部が突出するようにして形成されている。【選択図】  図２
2008308205.tif 000002
【特許請求の範囲】
【請求項１】
有底矩形筒状を呈する箱体の一の上縁部に、前記箱体の上面を形成する蓋部が折り曲げ開閉可能に形成されると共に、該蓋部の端部に、前記一の上縁部に対向する他の上縁部より前記箱体の内側へと差し込まれて前記蓋体の容易な開放を防止する差込部が形成される包装箱において、
前記他の上縁部に前記箱体の内側へと折り曲げ形成されると共に、更にその端部が前記他の上縁部方向へと折り返し形成されて、前記他の上縁部より上方へと先端部が突出する引掛部が形成される
ことを特徴とする包装箱。
【請求項２】
前記引掛部において、前記折り曲げ形成された折曲部分から前記折り返し形成された折返部分までの寸法が、前記差込部における前記蓋部側端部から先端部までの寸法よりも長いこと
を特徴とする請求項１に記載の包装箱。
【発明の詳細な説明】
【技術分野】
【０００１】
本発明は、包装箱に関し、より詳細には、箱体の上縁部より延設された引掛部に対して、展示場所に設置される吊下棒等を係合させて、内部に収納された商品を吊り下げ展示することが可能な包装箱に関する。
【背景技術】
【０００２】
従来より、展示用の包装箱に収納された商品を店舗に陳列する方法として、展示棚に包装箱を配列させる方法と、収納場所に吊り下げ展示用の吊下棒を設けて、包装箱を吊下棒に吊り下げる方法とが用いられている。
【０００３】
特に、包装箱に収納される商品が、小型で軽量な場合には、包装箱を吊下棒で吊り下げて陳列する方法が多く採用されている。
【０００４】
このように、吊り下げ陳列される包装箱には、吊下棒に係合するための引掛部が設けられている。一般的な包装箱は、包装箱の一の上縁部に上蓋を設け、対向する他の上縁部を延伸させて引掛部を形成する構成となっている。このように引掛部を形成することによって、包装箱の上蓋を閉じた状態において、引掛部を包装箱の上方へと突出させることが可能となっている（例えば、特許文献１参照）。
【０００５】
また、引掛部が設けられた収納部材を包装箱の内壁面に固着することによって、包装箱の上蓋が形成された一側壁部に対向する他の側壁部より、引掛部を突出形成させる構造も提案されている。このように引掛部を形成する場合も、包装箱の上蓋を閉じた状態において引掛部を包装箱の上方へと突出させることが可能となっている（例えば、特許文献２参照）。
【特許文献１】特公昭５７−３３２１８号公報
【特許文献２】実公平７−３８１２４号公報
【発明の開示】
【発明が解決しようとする課題】
【０００６】
しかしながら、上述した方法によって引掛部を形成する場合、引掛部を吊下棒に吊り下げて展示する際には上蓋の閉設に引掛部が邪魔にならないという利点があるが、吊下棒に吊り下げることなく商品を展示棚に配列展示させる場合には、突出された引掛部が邪魔になってしまうという問題があった。また、この問題は商品を展示棚に配列展示する場合だけでなく、複数の包装箱を搬送用の大型箱に収納する場合においても同様に発生し、円滑に商品を収納することが困難になるという問題があった。
【０００７】
このため、包装箱を配列展示し、または大型箱に収納する場合に、引掛部を上蓋の上側に重ねるようにして折り曲げる方法が用いられているが、このように引掛部を折り曲げても引掛部が包装箱の外側に形成されていることに変わりがないため、引掛部が上蓋側から立ち上がって（起き上がって）しまうことが多かった。このため、立ち上がってしまった引掛部によって、配列展示された包装箱の整列状態が乱れたり、大型箱への包装箱の収納作業が煩雑なものとなったりするという問題があった。
【０００８】
また、包装箱の外側に突出しないように引掛部を包装箱内に収納することが好ましいが、上述したように当該他の側壁部の上縁部を延伸させて引掛部を形成する場合に引掛部を包装箱内部に収納させると、蓋体の端部に形成される差込部を包装箱内へと差し込むことが困難になるため、上蓋の閉設に支障が生ずるという問題があった。
【０００９】
一方で、引掛部が設けられた収納部材を包装箱の内壁面に固着する場合には、その固着箇所等を適宜設計することによって、包装箱内に引掛部を収納させつつ、差込部を包装箱内へと差し込むことも可能であるが、そのために引掛部が設けられた収納部材を包装箱の内壁面に固着する作業が必要となるため、包装箱に引掛部を形成するための作業負担が増大するという問題があった。
【００１０】
本発明には上記問題に鑑みてなされたものであり、包装箱において簡易に引掛部を形成することができると共に、展示に際して引掛部を利用しない場合には、引掛部を包装箱に収納させつつ上蓋の閉設を簡易かつ確実に行うことが可能な包装箱を提供することを課題とする。
【課題を解決するための手段】
【００１１】
上記課題を解決するために、本発明に係る包装箱は、有底矩形筒状を呈する箱体の一の上縁部に、前記箱体の上面を形成する蓋部が折り曲げ開閉可能に形成されると共に、該蓋部の端部に、前記一の上縁部に対向する他の上縁部より前記箱体の内側へと差し込まれて前記蓋体の容易な開放を防止する差込部が形成される包装箱において、前記他の上縁部に前記箱体の内側へと折り曲げ形成されると共に、更にその端部が前記他の上縁部方向へと折り返し形成されて、前記他の上縁部より上方へと先端部が突出する引掛部が形成されることを特徴とする。
【００１２】
このように、本発明に係る包装箱では、引掛部が他の上縁部に箱体の内側へと折り曲げ形成されると共に、更にその端部が他の上縁部方向へと折り返し形成されて、他の上縁部より上方へと先端部が突出する構造となっているので、引掛部を突出させた状態で包装箱の上面を蓋部によって形成し、差込部を引掛部の前面より箱体の内部へと差し込むことが可能となる。
【００１３】
一方で、引掛部が他の上縁部に箱体の内側へと折り曲げ形成されると共に、更にその端部が他の上縁部方向へと折り返し形成されているので、この折り曲げ形成および折り返し形成によって、引掛部の背面側となる他の上縁部に蓋部の差込部を収納するための収納部を形成することが可能となる。このため、上方へと突出された引掛部を他の上縁部の高さ位置で折り曲げて箱体の内側へと収納することによって、引掛部の上面を覆うようにして蓋体で箱体の上面を形成し、差込部を収納部へと差し込むことが可能となる。
【００１４】
従って、本発明に係る包装箱では、引掛部を箱体の外部に突出させた状態で商品を収納することができ、さらに、引掛部を箱体の内部に収納させた状態で商品を収納することができるので、商品の吊り下げ展示と配列展示とのどちらの展示方法に対しても対応することが可能となる。
【００１５】
特に、引掛部を箱体の内部に収納させた状態では、引掛部が配列展示の際に邪魔になることがないので、配列展示された包装箱の整列状態を保つことができ、また、大型箱への包装箱の収納作業においても作業負担の軽減を図ることが可能となる。
【００１６】
また、上記包装箱の前記引掛部において、前記折り曲げ形成された折曲部分から前記折り返し形成された折返部分までの寸法が、前記差込部における前記蓋部側端部から先端部までの寸法よりも長いものであることが好ましい。
【００１７】
このように、折り曲げ形成された折曲部分から折り返し形成された折返部分までの寸法を、差込部における蓋部側端部から先端部までの寸法よりも長くすることによって、収納部に差込部を十分に差し込ませて確実に収納させることができ、また、収納された差込部が容易に外れてしまうことを防止することが可能となる。
【発明の効果】
【００１８】
本発明に係る包装箱では、引掛部が他の上縁部に対して箱体の内側へと折り曲げ形成され、更にその端部が他の上縁部方向へと折り返し形成されて、他の上縁部より上方へと先端部が突出する構造となっているので、引掛部を別体に形成して固着させる等することなく、簡易に引掛部を形成することができる。
【００１９】
また、引掛部の折り曲げ形成および折り返し形成によって、引掛部の背面側となる他の上縁部に蓋部の差込部を収納するための収納部を形成することができるため、展示に際して引掛部を利用しない場合であっても、引掛部を包装箱に収納させつつ上蓋の閉設を簡易かつ確実に行うことが可能となる。
【発明を実施するための最良の形態】
【００２０】
以下、本発明に係る包装箱について、図面を用いて詳細に説明する。図１は本発明に係る包装箱の展開図を示している。また、図２（ａ）は、図１に示す展開図を組み立てて、包装箱を有底の矩形筒形状を構成した状態を示した前方斜視図を示し、図２（ｂ）はその側方断面図を示している。
【００２１】
包装箱１は、長方形を成す４つの側面部２〜５と、底面部６と、上面部（蓋部）７、引掛部８とによって概略構成されている。包装箱１は、図１に示すように一枚の紙材によって形成されており、上述した４つの側面部２〜５、底面部６、上面部７、引掛部８は、一体に形成されている。
【００２２】
４つの側面部２〜５は、幅広の長方形状を成す前面部２および背面部３と、幅狭の長方形状を成す右側面部４および左側面部５とによって構成されており、背面部３の一側縁に設けられる糊シロ部１０を右側面部４の内側に固着させることによって矩形状の筒部を形成している。
【００２３】
前面部２の下縁部には、包装箱１の底面を形成する底面部６が設けられており、底面部６の先端には、下差込部６ａが形成されている。また、前面部２の上縁部（一の上縁部）１１には、包装箱１の上面を形成する上面部７が設けられており、上面部７の先端には上差込部（差込部）７ａが形成されている。
【００２４】
なお、下差込部６ａは底面部６の端部を折り曲げ加工することによって形成されるものであるが、底面部６と下差込部６ａとの折曲部分（点線部Ｅ）には、次述するフラップ１２ｂ、１３ｂに係合する切込６ｂが左右に設けられている。また、上差込部７ａも同様に、上面部７の端部を折り曲げ加工することによって形成されるものであるが、上面部７と上差込部７ａとの折曲部分（点線部Ｆ）には、次述するフラップ１２ａ、１３ａに係合する切込７ｂが左右に設けられている。
【００２５】
右側面部４と左側面部５の上縁部および下縁部には、それぞれフラップ１２ａ、１２ｂ、１３ａ、１３ｂが形成されている。フラップ１２ａ、１２ｂ、１３ａ、１３ｂは、上面部７および底面部６が包装箱１の上面および底面を形成するようにして折り込まれた際に、上面部７および底面部６の内側（包装箱の内側）に位置することにより、上面および下面の側部の隙間を塞ぐ役割を有している。また、各フラップ１２ａ、１２ｂ、１３ａ、１３ｂの背面部３側の側縁部は、クランク状に加工されており、フラップ１２ａ、１２ｂ、１３ａ、１３ｂの先端部側に比べて基部側が側方に房出した突縁部１４ａ、１４ｂ、１５ａ、１５ｂが形成されている。
【００２６】
ここで、下縁部に形成されるフラップ１２ｂ、１３ｂの突縁部の幅Ｌ１は、底面部６と下差込部６ａとの折曲部分（点線部Ｅ）に形成される切込６ｂの長さＬ１に対応して規定され、上縁部１１に形成されるフラップ１２ａ、１３ａの突縁部の幅Ｌ２は、上面部７と上差込部７ａとの折曲部分（点線部Ｆ）に形成される切込７ｂの長さＬ２に対応して規定されている。
【００２７】
このため、上面部７および底面部６が折り曲げられて上面および底面を形成する場合に、包装箱の内側に位置するフラップ１２ａ、１２ｂ、１３ａ、１３ｂの突縁部１４ａ、１４ｂ、１５ａ、１５ｂが差し込まれた上差込部７ａおよび下差込部６ａの切込６ｂ、７ｂに入り込んで上面部７および底面部６と係合する状態となり、上面部７および底面部６が容易に開放してしまうことを防止する構造となっている。
【００２８】
背面部３の上縁部（他の上縁部）１７には、引掛部８が形成されている。引掛部８は上縁部１７より延伸された帯状の紙材によって構成されており、図３〜図５に示すように、適宜折り曲げ加工および折り返し加工が行われることによって、本発明に特有の機能を発揮することが可能となる。
【００２９】
まず、引掛部８は、図２（ａ）に示すように、図１の点線部Ａにおいて折り曲げ加工が成されている。通常、紙材により構成される包装箱では、箱の外面（表面）に対してイラストや商品名等が描画される一方で、箱の内面（裏面）は購入者から見えないため、例えば灰色等の素材色がそのまま表された状態となっている。このため、引掛部８をそのまま延伸させた状態で形成すると、紙材の裏面が包装箱１の前面部２側に露出してしまうおそれがある。そこで、本実施の形態に係る包装箱１では、商品名等が描かれる紙材表面を包装箱１の前面に表示させるべく引掛部８の点線部Ａを折り曲げて裏面の露出を防いでいる。
【００３０】
なお、本実施の形態では、紙材表面を包装箱１の前面に表示させるべく引掛部８の点線部Ａを折り曲げる構成としているが、例えば、紙面の表面と裏面との両方に表面加工を行う場合や、透過性を備えたプラスチックシート材料等によって包装箱１を構成する場合等には、裏面の露出を防止する必要がないため、点線部Ａが先端部となるようにして引掛部８を構成することも可能である。
【００３１】
点線部Ａの折り曲げ加工によって、紙材が２枚重ね合わされた引掛部８の上部には、展示場に設置される吊下棒等を挿通させるための係合孔１８が形成されている。本実施の形態では、図２に示すように、円形孔を係合孔１８として形成するが、係合孔１８は必ずしも円形状に限定されるものではなく、側方から切り込みが入れられたＬ字状の切欠部等であってもよい。このようにＬ字状に切り込みを入れることによって、側方から吊下棒を案内して引掛部８を吊下棒に吊り下げることが可能となる。
【００３２】
図３（ａ）は、図２に示す包装箱１において、点線部Ｂを谷折りに折り曲げると共に、点線部Ｃを山折りに折り曲げた状態を示した前面斜視図であり、図３（ｂ）は、図３（ａ）に示す包装箱１の側方断面図である。
【００３３】
図３に示す包装箱１では、図２に示すように引掛部８が、背面部３の上縁部１７（図１に示す点線部Ｃ）において包装箱１の内側方向へと折り曲げられて背面部３の内側面に当接し、さらにその端部（図１の点線部Ｂ）において上方へと折り返されて、引掛部８の上部が上縁部１７よりも上方へと突出するように折り曲げ加工されている。このように、点線部Ｃを山折りにし、点線部Ｂを谷折りに折り曲げ加工することによって、図３（ａ）（ｂ）に示すように、引掛部８の一部が重畳された状態に折り曲げられ、その上端部１９（図１において点線部Ａによって折り曲げられた部分）が、背面部３の上縁部１７より上方へと突出した状態を保つことになる。
【００３４】
ここで、点線部Ｂから点線部Ｃまでの距離Ｌ３は、上差込部７ａにおける上面部７の折り曲げ部分（点線部Ｆ）から先端部までの距離Ｌ４よりも長い寸法（Ｌ３＞Ｌ４）となるように規定されている。また、点線部Ｃには、背面部３の上縁部１７の中央を中心とする環状穴２０が形成されており、点線部Ｃの折り曲げ加工によって、上縁部１７の中央に半球状の凹状部２１が形成されている。
【００３５】
このようにして折り曲げ形成された引掛部８を有する包装箱に商品を収納し、展示する方法について説明する。
【００３６】
まず、包装箱１に収納された商品を吊り下げ展示する場合、図３に示すように引掛部８の一部が重畳された状態において、右側面部４に形成されるフラップ１２ａと左側面部５に形成されるフラップ１３ａとを、それぞれの側面の上縁部より包装箱１の内側へと折り曲げ、図４（ａ）（ｂ）に示すように、上面部７を上縁部１１において折り曲げて、上差込部７ａをフラップ１２ａ、１３ａと引掛部８の前面部分との間に差し込む。図４（ｃ）は、フラップ１３ａと引掛部８の前面部との間に上差込部７ａが差し込まれた状態を示している。
【００３７】
このようにして、引掛部８を背面部３の上縁部１７より上方へと突出させることによって、フラップ１２ａ、１３ａと上面部７とで包装箱１の上面を形成することができるので、包装箱１を吊り下げ展示に適した状態で、商品を包装箱１内に収納することができる。またフラップ１２ａ、１３ａの突縁部１４ａ、１５ａが上面部７と上差込部７ａとの間に形成される切込７ｂに入り込んで上面部７と係合するので、上面部７が容易に開放してしまうことを防止することが可能となる。
【００３８】
一方で、包装箱１に収納された商品を展示棚等に配列展示させる場合、図３に示す引掛部８の状態において、右側面部４および左側面部５に形成されるフラップ１２ａ、１３ａを包装箱１の内側へと折り曲げ、図５（ａ）（ｂ）に示すように、フラップ１２ａ、１３ａの上面に対して、上縁部１７より突出する引掛部８を包装箱１の内側へと折り曲げる。このように折り曲げ加工を行うことによって、フラップ１２ａ、１３ａおよび引掛部８を上面部７の下側へと収納することが可能となるため、折り曲げられた引掛部８の上面を覆うようにして上面部７を折り曲げ、引掛部８の点線部Ｃの折り曲げおよび点線部Ｂの折り返しにより形成される収納部２２に上差込部７ａを差し込むことによって、上面部７により包装箱１の閉設が行われる。
【００３９】
このように引掛部８を折り曲げて上面部７の内側（下側）へと収納することにより、引掛部８が包装箱１の外部に突出されることがないため、配列展示される包装箱１の整列状態を保つことができ、また、大型の搬送用箱等へ包装箱１を収納する場合における作業負担の軽減を図ることが可能となる。
【００４０】
また、引掛部８の点線部Ｃの折り曲げ加工および点線部Ｂの折り返し加工によって上差込部７ａを収納するための収納部２２が形成されるので、引掛部８を包装箱１の内部に収納させつつ、上面部７によって包装箱１の上面を形成し、さらに上差込部７ａにより上面部７の容易な開放を防止することができる。
【００４１】
特に、収納部２２の背面部３側部分は、点線部Ｃの折り曲げ部分と背面部３とによって紙材が２枚重ね合わされた状態となっているため、収納部２２に差し込まれた上差込部７ａが２枚分の紙材の厚みとその剛性とによって容易に引き抜けない構造となっている。このため、収納部２２に収納された上差込部７ａは、収納部２２によって十分に係止されることとなり、上面部７が容易に開放してしまうことを防止することが可能となる。
【００４２】
また、引掛部８における点線部Ｂから点線部Ｃまでの距離Ｌ３が、上差込部７ａにおける上面部７の折り曲げ部分（点線部Ｆ）から先端部までの距離Ｌ４よりも長い寸法（Ｌ３＞Ｌ４）に規定されているので、収納部２２に上差込部７ａを十分に差し込ませて確実に収納させることができ、また、収納された上差込部７ａが容易に外れてしまうことを防止することが可能となる。
【００４３】
一方で、上差込部７ａを収納部２２に収納する場合には、背面部３の上縁部１７中央に半球状の凹状部２１が形成されているので、上差込部７ａの先端を、凹状部２１にガイドさせつつ差し込ませることによって、円滑に上差込部７ａを収納部２２に収納させることが可能となり、上面部７の閉設作業における作業負担の軽減を図ることができる。
【００４４】
以上説明したように、本発明に係る包装箱１では、引掛部８が点線部Ｃおよび点線部Ｂによって折り曲げ・折り返し加工されて収納部２２を形成するため、上方へと突出する引掛部８を包装箱１の内側へと収納した場合であっても、上面部７の上差込部７ａを収納部２２に収納させて包装箱１を閉設することができる。このため、包装箱１の外側へ引掛部８が突出することが無くなり、配列展示される包装箱１の配列状態を保つことができると共に、大型の搬送用箱等へ包装箱１を収納する場合における作業負担の軽減を図ることが可能となる。
【００４５】
一方で、包装箱１を吊り下げ展示する場合には、引掛部８を上方へと突出させた状態で上面部７によって包装箱１の閉設を行うことができるので、商品を包装箱１に収納した状態で吊り下げ展示することが可能となる。
【００４６】
以上、本発明に係る包装箱を、図面を用いて詳細に説明したが、本発明に係る包装箱は上述した実施の形態には限定されない。当業者であれば、特許請求の範囲に記載された範疇内において、各種の変更例または修正例に想到しうることは明らかであり、それらについても当然に本発明の技術的範囲に属するものと了解される。
【００４７】
例えば、上述した実施の形態では、包装箱が紙材によって形成する場合について説明を行ったが、包装箱の素材は必ずしも紙材に限定されるものではなく、他の素材、例えばプラスチックシートなどによって形成されるものであってもよい。
【図面の簡単な説明】
【００４８】
【図１】実施の形態に係る包装箱を示した展開図である。
【図２】実施の形態に係る包装箱において、引掛部を点線部Ａにおいて折り曲げ形成した状態を示す図であり、（a）は前方斜視図、（ｂ）は側方断面図を示している。
【図３】図２に示す包装箱において、引掛部を点線部Bおよび点線部Cにおいて折り曲げ・折り返し形成した状態を示す図であり、（a）は前方斜視図、（ｂ）は側方断面図を示している。
【図４】図３に示す包装箱において、引掛部を起立させつつ上面部で包装箱の上面を形成した状態を示す図であり、（a）は前方斜視図、（ｂ）は後方斜視図、（ｃ）は側方断面図を示している。
【図５】図３に示す包装箱において、引掛部を包装箱の内部に折り曲げつつ上面部で包装箱の上面を形成した状態を示す図であり、（a）は前方斜視図、（ｂ）は側方断面図を示している。
【符号の説明】
【００４９】
１     …包装箱
２     …前面部
３     …背面部
４     …右側面部
５     …左側面部
６     …底面部
６ａ   …下差込部
６ｂ   …（下差込部の）切込
７     …上面部（蓋部）
７ａ   …上差込部（差込部）
７ｂ   …（上差込部の）切込
８     …引掛部
１０   …糊シロ部
１１   …（前面部の）上縁部（一の上縁部）
１２ａ、１２ｂ  …（右側面部の）フラップ
１３ａ、１３ｂ  …（左側面部の）フラップ
１４ａ、１４ｂ  …（右側面部のフラップにおける）突縁部
１５ａ、１５ｂ  …（左側面部のフラップにおける）突縁部
１７   …（背面部の）上縁部（他の上縁部）
１８   …（引掛部の）係合孔
１９   …（引掛部の）上端部
２０   …（背面部の上縁部に形成される）環状穴
２１   …（背面部の上縁部に形成される）凹状部
２２   …収納部
Ｌ１   …下縁部側のフラップの突縁部の幅
Ｌ２   …上縁部側のフラップの突縁部の幅
Ｌ３   …引掛部における点線部Ｂから点線部Ｃまでの距離
Ｌ４   …上差込部における点線部Ｆから先端部までの距離
【図１】
2008308205.tif 000003
【図２】
2008308205.tif 000004
【図３】
2008308205.tif 000005
【図４】
2008308205.tif 000006
【図５】
2008308205.tif 000007